(57)【要約】  ホームネットワークに含まれた管理機器（ＭＤ）の機能を制御する方法が提供される。ホームネットワークに接続された電子機器（ＥＤ）の機能を制御する制御機器（ＣＤ）と上記制御機器によりその機能が管理される管理機器とを含むホームネットワークシステムにおける上記制御機器が上記管理機器の機能を制御する方法は、上記管理機器により実行される少なくとも１つの機能に対する診断を実行するステップと、上記少なくとも１つの機能を制御するのに必要な情報を確認するステップと、上記少なくとも１つの機能を制御するのに必要な情報を考慮して上記少なくとも１つの機能を制御する制御情報を上記管理機器に送信するステップと、を有する。
2013527525.tif 000002
【特許請求の範囲】
【請求項１】
ホームネットワークに接続された電子機器（ＥＤ）の機能を制御する制御機器（ＣＤ）と前記制御機器によりその機能が管理される管理機器（ＭＤ）とを含むホームネットワークシステムにおいて前記制御機器により前記管理機器の機能を制御する方法であって、
前記管理機器により実行される少なくとも１つの機能を診断するステップと、
前記少なくとも１つの機能を制御するのに必要な情報を識別するステップと、
前記少なくとも１つの機能を制御するのに必要な情報に従って前記少なくとも１つの機能を制御する制御情報を前記管理機器に送信するステップと、
を有することを特徴とする方法。
【請求項２】
前記少なくとも１つの機能を制御するのに必要な情報は、前記少なくとも１つの機能の活性化及び非活性化を実行するのに必要な情報に対応することを特徴とする請求項１に記載の方法。
【請求項３】
前記少なくとも１つの機能を制御する制御情報は、前記少なくとも１つの機能の活性化及び非活性化を実行する制御情報に対応することを特徴とする請求項２に記載の方法。
【請求項４】
前記少なくとも１つの機能を制御するのに必要な情報を識別するステップは、
前記少なくとも１つの機能におけるエラーが発生したか否かを前記管理機器に要請するステップと、
前記少なくとも１つの機能におけるエラーが発生したか否かに関する情報を有するリストを前記管理機器から受信するステップと、
を有することを特徴とする請求項２に記載の方法。
【請求項５】
前記少なくとも１つの機能を制御するのに必要な情報は、前記少なくとも１つの機能の設定状態を変更するのに必要な情報に対応することを特徴とする請求項１に記載の方法。
【請求項６】
前記少なくとも１つの機能を制御する制御情報は、前記少なくとも１つの機能の設定状態を変更する制御情報に対応することを特徴とする請求項５に記載の方法。
【請求項７】
前記少なくとも１つの機能を制御するのに必要な情報を識別するステップは、
前記少なくとも１つの機能の設定状態を前記管理機器に要請するステップと、
前記少なくとも１つの機能の設定状態に関する情報を含むリストを前記管理機器から受信するステップと、
を有することを特徴とする請求項５に記載の方法。
【請求項８】
ホームネットワークに接続された電子機器（ＥＤ）の機能を制御する制御機器（ＣＤ）と前記制御機器によりその機能が管理される管理機器（ＭＤ）とを含むホームネットワークシステムにおいて前記管理機器により機能を制御する方法であって、
前記管理機器により実行される少なくとも１つの機能を診断した後に、前記診断の結果を前記制御機器に送信するステップと、
前記制御機器から前記少なくとも１つの機能を制御するのに必要な情報を識別した後に、前記識別された情報を前記制御機器に提供するステップと、
前記少なくとも１つの機能を制御するのに必要な情報に基づいて生成された制御情報を前記制御機器から受信するステップと、
前記制御情報を用いて前記少なくとも１つの機能を制御するステップと、
前記ホームネットワークに含まれた他の電子機器への接続を実行し、デバイスディスクリプションを他の電子機器に提供するステップと、
を有することを特徴とする方法。
【請求項９】
前記少なくとも１つの機能を制御するのに必要な情報は、前記少なくとも１つの機能の活性化及び非活性化を実行するのに必要な情報に対応することを特徴とする請求項８に記載の方法。
【請求項１０】
前記少なくとも１つの機能を制御する制御情報は、前記少なくとも１つの機能の活性化及び非活性化を実行する制御情報に対応することを特徴とする請求項９に記載の方法。
【請求項１１】
前記少なくとも１つの機能を制御するのに必要な情報を識別するステップは、
前記制御機器から前記少なくとも１つの機能におけるエラーが発生したか否かを要請するメッセージを前記制御機器から受信するステップと、
前記少なくとも１つの機能におけるエラーが発生したか否かを確認した後に、前記少なくとも１つの機能におけるエラーが発生したか否かに関する情報を含むリストを前記制御機器に送信するステップと、
を有することを特徴とする請求項９に記載の方法。
【請求項１２】
前記少なくとも１つの機能を制御するのに必要な情報は、前記少なくとも１つの機能の設定状態を変更するのに必要な情報に対応することを特徴とする請求項８に記載の方法。
【請求項１３】
前記少なくとも１つの機能を制御する制御情報は、前記少なくとも１つの機能の設定状態を変更する制御情報に対応することを特徴とする請求項１２に記載の方法。
【請求項１４】
前記少なくとも１つの機能を制御するのに必要な情報を識別するステップは、
前記少なくとも１つの機能の設定状態を要請するメッセージを前記制御機器から受信するステップと、
前記少なくとも１つの機能の設定状態をチェックした後に、前記少なくとも１つの機能の設定状態に関する情報を含むリストを前記制御機器に送信するステップと、
を有することを特徴とする請求項１２に記載の方法。
【発明の詳細な説明】
【技術分野】
【０００１】
本発明は、ホームネットワークに含まれるデバイスを管理する方法に関し、特に、ホームネットワークに含まれる機器の機能を制御する方法に関する。
【背景技術】
【０００２】
一般的に、ホームネットワークは、私設網（private network）基盤のインターネットプロトコル（Internet Protocol：以下、“ＩＰ”と称する）を含む。このようなホームネットワークは、家庭内で使用されるパーソナルコンピュータ（ＰＣ）、知能型製品、無線装置などを含む様々な装置を共通の仮想コンピューティング環境に対応する“ミドルウェア（middleware）”を介して１つのネットワークに接続して統制する。ミドルウェアは、ピアツーピア方式（Peer-to-Peer scheme）でホームネットワーク内の様々な装置を接続することにより様々な装置間の通信を可能にする。現在では、ＨＡＶｉ（Home Audio Video Interoperability）、ＵＰｎＰ(Universal Plug and Play)、ＪＩＮＩ（Java（登録商標） Intelligent Network Infra-structure）、及びホームワイドウェブ（Home Wide Web：ＨＷＷ）などがホームネットワークミドルウェアとして提案された。
【０００３】
ＵＰｎＰネットワークは、現在もっとも頻繁に使用されるホームネットワーク技術であり、ＵＰｎＰデバイス、ＵＰｎＰサービス、及びこれらの間のプロトコルを定義する。ＵＰｎＰネットワークは、ＩＰ基盤ホームネットワークに接続されることにより制御されるホームネットワーク装置である被制御装置（Controlled Device）と、被制御装置を制御するための装置である制御ポイント（Control Point）とを含む。
【０００４】
まず、制御ポイントは、被制御装置を制御する装置であり、被制御装置でイベントを要請した後に、この要請されたイベントを被制御装置から受信する。
【０００５】
被制御装置は、制御ポイントの要請に応じて定められた機能を実行する装置であり、被制御装置の状態が変更される際にこの要請されたイベントをイベントを要請した制御ポイントに送信する。
【０００６】
上述したように構成されたＵＰｎＰネットワーク装置は、アドバタイズメント（Advertisement）過程、ディスカバリー過程、ディスクリプション過程、制御過程、及びイベンティング（Eventing）過程を実行することができる。
【０００７】
アドバタイズメント過程は、新たな被制御装置がホームネットワークに接続された後に、ホームネットワーク上の他のデバイスに通知する過程である。
【０００８】
ディスカバリー過程は、新たな制御ポイントがホームネットワークに接続された後に、このホームネットワーク上で動作する被制御装置を検索する過程である。
【０００９】
ディスクリプション過程は、制御ポイントが被制御装置を制御するために検索された被制御装置のＩＰアドレスを用いてサービスディスクリプションＸＭＬ（Extensible Markup Language）ファイル又はデバイスディスクリプション（device description）ＸＭＬファイルをパーシング（Parsing）することにより新たに追加されたデバイスの詳細な機能情報を把握する過程である。
【００１０】
制御過程は、制御ポイントが関連する被制御装置を介して特定のサービスを提供しようとする場合に、ＵＰｎＰデバイスアーキテクチャーに従ってシンプルオブジェクトアクセスプロトコル（ＳＯＡＰ）を使用して所定のサービスを要請する制御メッセージ（すなわち、アクション要請）を関連する被制御装置に送信した後に、この送信された制御メッセージに対する応答メッセージ（すなわち、結果及び変数値）を受信する過程である。
【００１１】
イベンティング過程は、制御ポイントから送信される制御命令を用いて所定のサービスを提供した被制御装置の変更状態に関する情報を確認する過程である。
【００１２】
上述したようなＵＰｎＰネットワークにおいて、ＵＰｎＰネットワークに接続された機器で実行されるサービス機能のエラーを把握することができる。しかしながら、機器で実行されるサービス機能のエラーを把握した後に、その問題を解決するためには関連する機器を再起動しなければならない問題点があった。また、エラーの発生に関連する機器を再起動した後に、対応する機器がＵＰｎＰネットワークへの接続を反復して試みなければならないという問題点もあった。
【発明の概要】
【発明が解決しようとする課題】
【００１３】
本発明の目的は、少なくとも上述した問題点及び／又は不都合に取り組み、少なくとも以下の便宜を提供することにある。すなわち、本発明の目的は、ホームネットワークに接続されたエラーが発生した機器の接続を保持しつつエラーが発生したサービス機能を制限することができる方法を提供することにある。
【課題を解決するための手段】
【００１４】
上記のような目的を達成するために、本発明の実施形態の一態様によれば、ホームネットワークに接続された電子機器（ＥＤ）の機能を制御する制御機器（ＣＤ）と上記制御機器によりその機能が管理される管理機器（ＭＤ）とを含むホームネットワークシステムにおける上記制御機器が上記管理機器の機能を制御する方法は、上記管理機器により実行される少なくとも１つの機能に対する診断を実行するステップと、上記少なくとも１つの機能を制御するのに必要な情報を確認するステップと、上記少なくとも１つの機能を制御するのに必要な情報を考慮して上記少なくとも１つの機能を制御する制御情報を上記管理機器に送信するステップと、を有することを特徴とする。
【００１５】
本発明の実施形態の他の態様によれば、ホームネットワークに接続された電子機器（ＥＤ）の機能を制御する制御機器（ＣＤ）と上記制御機器によりその機能が管理される管理機器（ＭＤ）とを含むホームネットワークシステムにおける上記管理機器がその機能を制御する方法は、上記管理機器により実行される少なくとも１つの機能に対する診断を実行した後に、上記診断の結果を上記制御機器に送信するステップと、上記制御機器から上記少なくとも１つの機能を制御するのに必要な情報を確認した後に、上記確認された情報を上記制御機器に提供するステップと、上記少なくとも１つの機能を制御するのに必要な情報に基づいて生成された制御情報を上記制御機器から受信するステップと、上記制御情報を用いて上記少なくとも１つの機能を制御するステップと、上記ホームネットワークに含まれた他の電子機器への接続を実行し、デバイスディスクリプションを他の電子機器に提供するステップと、を有することを特徴とする。
【発明の効果】
【００１６】
本発明のホームネットワークに含まれた管理機器（ＭＤ）の機能を制御する方法を用いて、ホームネットワークに接続されたエラーが発生したデバイスの接続を保持しつつ、エラーが発生したサービス機能を効果的に制限することができる。
【００１７】
本発明の実施形態の上述した及び他の様相、特徴、及び利点は、以下の添付図面が併用された後述の詳細な説明から、より一層明らかになるだろう。
【図面の簡単な説明】
【００１８】
【図１】本発明の一実施形態によるホームネットワークに含まれた管理機器（ＭＤ）の機能を制御する方法を示すシーケンスダイアグラムである。
【図２】本発明の一実施形態によるホームネットワークに含まれたＭＤの機能を制御する方法で使用されるＭＤの機能を制御するのに必要な情報を示す図である。
【図３】本発明の一実施形態によるＣＤの構成を示すブロック図である。
【図４】本発明の一実施形態によるＭＤの構成を示すブロック図である。
【発明を実施するための形態】
【００１９】
以下、本発明の望ましい実施形態を添付の図面を参照して詳細に説明する。本発明の下記の説明において、関連した公知機能或いは構成に対する具体的な説明が本発明の要旨を不必要に不明瞭にすると判断された場合、その詳細な説明は省略する。また、後述する用語は、本発明の機能を考慮して定義されたものであって、ユーザー、運用者の意図、又は慣例などに基づいて変わることができる。したがって、上記用語は、本明細書の全体内容に基づいて定義されなければならない。
【００２０】
図１は、本発明の一実施形態によるホームネットワークに含まれる管理機器（Management Device：以下、“ＭＤ”と称する）の機能を制御する方法を示す信号フロー図である。図１を参照すると、ホームネットワークに含まれるＭＤの機能を制御する方法は、制御機器１１、管理機器１３、及び電子機器１５により実行される。
【００２１】
例えば、制御機器（Control Device：以下、“ＣＤ”と称する）１１は、ＵＰｎＰ(Universal Plug and Play)機器管理（Device Management：以下、“ＤＭ”と称する）のＢＭＳ（Basic Management Service）で制御ポイント（Control Point：以下、“ＣＰ”と称する）として機能するパーソナルコンピュータ（ＰＣ）、携帯用端末、又はラップトップであることができる。また、ＭＤ１３は、様々なサービスデータモデルの機能を実行可能なＭＤとして機能するＴＶ（テレビジョン）などであることができる。
【００２２】
一方、外部から受信されたコールデータ（call data）を宅内の装置に送信することによりユーザーが宅内装置を介して通話することができるようにするＵＰｎＰテレフォニー（Telephony）技術に関する研究が進んでいる。ＵＰｎＰ規格によると、ＵＰｎＰテレフォニーアーキテクチャーは、外部から電話を受信するテレフォニー端末と、テレフォニー端末から電話データの送信を受信する宅内の電子機器（Electronic Device：以下、“ＥＤ”と称する）と、テレフォニー端末及びＥＤを制御するＣＰとを含む。ＣＰは、テレフォニー端末の機能及び電子機器の機能を、ネットワークを使用して制御することができ、テレフォニー端末とＥＤとの間の接続及びメディアセッション確立を制御する。電話を受信するテレフォニー端末はテレフォニーサーバであり、テレフォニーサーバから送信される電話データを受信するテレフォニーデバイスはテレフォニークライアントと呼ぶ。テレフォニーＣＰは、テレフォニーサーバにより受信された電話をテレフォニークライアントに送信するように制御する。
【００２３】
また、ＭＤ１３は、テレフォニー端末として機能することができ、ＥＤ１５は、テレフォニーサーバとして機能するデバイスであることができる。
【００２４】
本発明の一実施形態によるホームネットワークに含まれるＭＤの機能を制御する方法において、まず、ＣＤ１１は、ステップ１０１において、ＭＤ１３の制御のためにＭＤ１３との通信を介して診断過程を実行する。このような診断過程は、ＵＰｎＰ  ＤＭ規格で定義するＢＭＳ診断（BMS diagnostic）過程を介して実行することができる。
【００２５】
その後に、ＣＤ１１は、ステップ１０２において、ＭＤ１３の少なくとも１つの機能を制御するのに必要な情報を要請するメッセージをＭＤ１３に送信する。
【００２６】
少なくとも１つの機能を制御するのに必要な情報は、少なくとも１つの機能の活性化／非活性化のために必要な情報であることができる。例えば、少なくとも１つの機能にエラー又は問題が発生することができ、少なくとも１つの機能にエラー又は問題が発生する場合に、エラー又は問題が発生した機能だけを選択的に非活性化する必要がある。したがって、ステップ１０２において、ＣＤ１１は、少なくとも１つの機能にエラー又は問題が発生したか否かを含む要請メッセージをＭＤ１３に送信することができる。少なくとも１つの機能を制御するのに必要な情報を要請するメッセージの受信に応じて、ＭＤ１３は、ステップ１０３において、エラー又は問題が少なくとも１つの機能に発生したか否かを判定した後に、その判定の結果を少なくとも１つの機能を制御するのに必要な情報としてＣＤ１１に提供する。例えば、少なくとも１つの機能を制御するのに必要な情報は、図２に示すように、エラー又は問題が少なくとも１つの機能に発生したか否かをリスト化することにより提供することができる。例えば、図２に示すリストは、エラー又は問題が機能３に発生したことを示し、他方、エラー又は問題が機能１、２、４、及び５には発生しなかったことを示している。また、機能３は、テレフォニー端末としての機能であってもよい。
【００２７】
ステップ１０４において、ＣＤ１１は、少なくとも１つの機能を制御するのに必要な情報を考慮して、少なくとも１つの機能を制御する制御情報をＭＤ１３に送信する。例えば、制御情報は、エラー又は問題が発生した機能（例えば、機能３）を非活性化するための制御情報であることができる。
【００２８】
ステップ１０５において、ＭＤ１３は、少なくとも１つの機能を制御するために、制御情報に基づいて特定の機能（例えば、機能３）を非活性化する。ステップ１０６において、ＭＤ１３は、特定の機能（例えば、機能３）が非活性化されたことを示す情報を含む応答メッセージをＣＤ１１に送信する。
【００２９】
ステップ１０７において、ＭＤ１３は、ＥＤ１５との通信を介してディスカバリーを実行する。ディスカバリー過程は、ＵＰｎＰ  ＤＭ規格で定義するデバイスディスカバリーを介して実行することができる。例えば、ＣＰとして機能するＥＤ１５がシンプルサービスディスカバリープロトコル（ＳＳＤＰ）を使用して被制御器として機能するＭＤ１３を検索し、ＭＤ１３がこの検索に応答することによりＥＤ１５とＭＤ１３とが相互に接続される。その後に、ＭＤ１３は、その自身（すなわち、ＭＤ）とＥＤ１５との間の接続をＥＤ１５に接続される他の機器に通知する。その後に、ＭＤ１３は、ＥＤ１５に継続して接続されるか否かを他の機器に周期的に通知する。
【００３０】
最後に、ステップ１０８において、ＭＤ１３は、ＥＤ１５と通信することによりディスクリプション（Description）を提供する。ディスクリプションを提供する過程は、ＵＰｎＰ  ＤＭで定義するデバイスディスクリプション（Device Description）を介して実行することができる。例えば、ＭＤ１３は、ディスクリプションを含むユニフォームリソースロケータ（ＵＲＬ）をＥＤ１５に送信した後に、ＥＤ１５は、ＭＤ１３によりＸＭＬフォーマットで作成されたディスクリプションを持ってくる。この時に、ディスクリプションは、特定の機能（例えば、機能３）が非活性化されたことを示す情報を含むことができる。また、この構成に対する代案として、非活性化された特定の機能（例えば、機能３）を削除することによりディスクリプションを提供することも可能である。
【００３１】
さらに、ＥＤ１５は、ディスクリプションがアップデートされたことを示す通知メッセージをＥＤ１５のホームネットワークに接続された機器に送信する。また、通知メッセージは、アップデートされたディスクリプションを受信することをホームネットワーク内に含まれるすべての機器に指示する情報を含むことができる。また、通知メッセージは、特定の機能（例えば、機能３）が非活性化されたことを示す情報を含むことができる。
【００３２】
上述したように、少なくとも１つの機能を制御するのに必要な情報が少なくとも１つの機能の活性化／非活性化を実行するのに必要な情報であり、エラー又は問題が少なくとも１つの機能に発生したか否かを示す情報である。しかしながら、本発明がこの構成に限定されず、例えば、少なくとも１つの機能を制御するのに必要な情報は、少なくとも１つの機能の設定状態を変更するのに必要な情報であることもある。これに関連して、ステップ１０２において、ＣＤ１１は、少なくとも１つの機能の設定状態を要請するメッセージをＭＤ１３に送信することができる。
【００３３】
ステップ１０３において、ＭＤ１３は、少なくとも１つの機能の設定状態に関する情報を確認した後に、少なくとも１つの機能の設定状態に関する情報を含むリストをＣＤ１１に送信することができる。また、ステップ１０４乃至ステップ１０６において、機能の設定を制御するための過程を実行することができる。
【００３４】
図３は、本発明の一実施形態によるＣＤの構成を示すブロック図である。図３を参照すると、本発明の一実施形態によるＣＤは、送受信部３１、制御部３３、及び制御情報生成部３５を含む。
【００３５】
制御部３３は、ＵＰｎＰ  ＤＭ規格で定義するＢＭＳ−診断過程を実行しつつ、ＭＤに送信されるメッセージを生成するか、又はＭＤにより提供されるメッセージに含まれた情報を確認する。また、制御部３３は、機能を制御するのに必要な情報を要請するメッセージを生成した後に、生成されたメッセージを、送受信部３１を介して送信する。制御部３３は、ＭＤにより提供される機能を制御するのに必要な情報を確認した後に、確認された情報を制御情報生成部３５に提供する。
【００３６】
制御情報生成部３５は、この機能を制御するのに必要な情報をチェックした後に、ＭＤを制御するための制御情報を生成する。例えば、少なくとも１つの機能を制御するのに必要な情報が図２に示すような少なくとも１つの機能にエラー又は問題が発生したか否かを示すリストである場合に、制御情報生成部３５は、このリストに含まれた機能のうちでエラー又は問題が発生した機能をチェックする。すなわち、図２に示したリストにおいて、制御情報生成部３５は、エラー又は問題が機能３に発生し、他方、エラー又は問題が機能１、２、４、及び５に発生しなかったことをチェックする。このチェックの結果に応じて、制御情報生成部３５は、エラー又は問題が発生した機能（例えば、機能３）を非活性化するための制御情報を生成する。このように生成された制御情報は、制御部３３に提供される。制御部３３は、この受信された制御情報をＭＤに送信するためのメッセージを生成した後に、この生成されたメッセージを、送受信部３１を介してＭＤに送信する。
【００３７】
一方、図４は、本発明の一実施形態によるＭＤの構成を示すブロック図である。図４を参照すると、本発明の一実施形態によるＭＤは、送受信部４１、制御部４３、機能リスト生成部４５、及びディスクリプション生成部４７を含む。
【００３８】
ＵＰｎＰ  ＤＭ規格で定義するＢＭＳ−診断過程を実行しつつ、ＵＰｎＰ  ＤＭ規格により定義された制御部４３は、ＣＤに送信されるメッセージを生成するか、又はＣＤにより提供されたメッセージに含まれる情報を確認する。また、制御部４３は、送受信部４１を介して受信された機能を制御するのに必要な情報を要請するメッセージをチェックする。その後に、制御部４３は、機能リスト生成部４５が機能を制御するのに必要な情報を生成することを要請する。
【００３９】
制御部４３の要請に応じて、機能リスト生成部４５は、ＭＤ内で実行される機能に対するリストを生成し、生成されたリストを制御部４３に提供する。例えば、ＭＤ内で実行される機能に対するリストは、エラー又は問題がＭＤ内で実行される機能に存在するか否かを示す情報を含むことができる。すなわち、ＭＤ内で実行される機能に対するリストは、図２に示すように、少なくとも１つの機能にエラー又は問題が発生したか否かを示すリストを含むことができる。さらに、ＭＤ内で実行される機能に対するリストは、少なくとも１つの機能の設定状態を変更するために必要な情報であることもある。この場合に、機能リスト生成部４５は、ＭＤ内で実行される少なくとも１つの機能の設定状態に関する情報を含むリストを生成することができる。
【００４０】
制御部４３は、ＭＤ内で実行される機能に対するリストを含むメッセージを生成した後に、この生成されたメッセージを、送受信部４１を介してＣＤに送信する。
【００４１】
送受信部４１を介してＣＤから制御情報を受信する時に、制御部４３は、この受信した制御情報に対応する制御を実行する。例えば、エラーが発生した機能（例えば、機能３）を非活性化するための制御情報を受信する時に、制御部４３は、非活性化が要請された機能を中止する。その後に、制御部４３は、ディスクリプション生成部４７がＭＤ内で実行される少なくとも１つの機能の活性化又は非活性化に対するディスクリプションを作成するように要請する。制御部４３の要請に応じて、ディスクリプション生成部４７は、ＭＤ内で実行される少なくとも１つの機能の活性化又は非活性化に関するディスクリプションを作成し格納する。
【００４２】
制御部４３は、ＥＤと関連してディスカバリー過程を実行するためのメッセージを生成するか、又はＥＤにより提供されるメッセージをチェックする。ディスカバリー過程は、ＵＰｎＰ  ＤＭ規格により定義されるデバイスディスカバリーを介して実行してもよい。例えば、ＣＰとして機能するＥＤがＳＳＤＰを使用して被制御器として機能する制御部４３を含むＭＤを検索したことを通知するメッセージを送信する場合に、制御部４３は、ＥＤから送信されたメッセージに応答するメッセージを生成した後に、この生成されたメッセージをＥＤに送信する。したがって、ＥＤ及び制御部４３を含むＭＤが相互に接続される。その後に、制御部４３は、ＥＤに接続された他の機器にＭＤとＥＤとの間の接続を通知するメッセージを生成し、この生成されたメッセージを他の機器に送信する。その後に、制御部４３は、ＭＤがＥＤに接続されているか否かを他の機器に周期的に通知するメッセージを他の機器に送信する。
【００４３】
さらに、制御部４３は、ＥＤと関連してディスクリプションを提供するための過程を実行する。ディスクリプションを提供するための過程は、ＵＰｎＰ  ＤＭにより定義されるデバイスディスクリプションを介して実行してもよい。例えば、制御部４３は、ディスクリプションを含むＵＲＬをＥＤに送信した後に、ＥＤは、ディスクリプション生成部４７により生成されたディスクリプションを持ってくる。この時に、ディスクリプションは、特定の機能（例えば、機能３）が非活性化されたことを示す情報を含むことができる。また、このような構成に対する代案として、非活性化された特定の機能（例えば、機能３）が削除されたディスクリプションを提供することもできる。
【００４４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【００４５】
１１      制御機器
１３      管理機器
１５      電子機器
３１      送受信部
３３      制御部
３５      制御情報生成部
４１      送受信部
４３      制御部
４５      機能リスト生成部
４７      ディスクリプション生成部
【図１】
2013527525.tif 000003
【図２】
2013527525.tif 000004
【図３】
2013527525.tif 000005
【図４】
2013527525.tif 000006
【国際調査報告】
2013527525.tif 000007
2013527525.tif 000008